(57)【要約】【課題】  本発明は２回スキャン式の両面スキャナ装置を提供する。【解決手段】  取込口カセットの底部に開放孔を２個設けピックアップロールとパーティションロールが開放孔をそれぞれ貫通し、両面スキャナ装置は書類底部に積層される書類からスキャンを行なう。一番下に積層される書類からスキャンすることによりスキャンされる書類を順に配列し、スキャンされる前の書類と同一順序にする。【選択図】図２
2008048375.tif 000002
【特許請求の範囲】
【請求項１】
スキャナ領域にスキャンする書類の映像を読取るのに用いられ、プラットホーム式スキャナーに位置するスキャナモジュールと、
前記スキャンする書類を置くのに用いられ、第一開放孔及び第二開放孔を含む取込口カセットと、
前記第一開放孔を通過すると共に前記スキャンする書類と接触するピックアップロールと、
前記第二開放孔を通過すると共に前記スキャンする書類と接触するパーティションロールと、
前記スキャンする書類を置くための第一取出カセットと、
前記スキャンする書類を置くための第二取出カセットと、
前記第二取出カセット及び第二紙送りロールセットの間に位置すると共に前記スキャン領域を通過するフィードチャネルと、
前記取込口カセット及び前記フィードチャネルの間に位置する取込チャネルと、
前記フィードチャネル及び前記第一取出カセットの間に位置する第一取出チャネルと、
前記フィードチャネルに位置し前記第一取出カセットに近接し、スキャンされる書類を送り前記第一取出チャネルを通過させ又は前記フィードチャネルへスキャンされた書類を送り続ける第一取出ロールセットと、
前記第二取出ロールセット及び第二取出カセットの間に位置する反転チャネルと、
前記第二取出ロールセット及び前記第二取出カセットの間に位置すると共に、前記反転チャネル上端に位置する第二取出チャネルと、
前記反転チャネル上端に位置し前記第二取出カセットに近接し、前記反転チャネルからスキャンされる書類を前記第二取出カセットまで送り、前記第二取出カセットから前記フィードチャネルまで送る第二取出ロールセットと、
前記第二取出チャネルに位置し前記第二取出カセットに近接し、スキャンされる書類を前記第二取出カセットまで送る第三取出ロールセットを含むことを特徴とする両面スキャナ装置。
【請求項２】
前記第二取出ロールセットはさらに回転方向を変更可能なマスタロールと反転スレーブロールを含むことを特徴とする請求項1に記載する両面スキャナ装置。
【請求項３】
前記第三取出ロールセットはさらにマスターロールと取出スレーブロールを含むことを特徴とする請求項2に記載する両面スキャナ装置。
【請求項４】
さらに前記フィードチャネルに設置し前記取込チャネルに近接する第一紙送りロールを含むことを特徴とする請求項１に記載する両面スキャナ装置。
【発明の詳細な説明】
【技術分野】
【０００１】
本発明は両面スキャナ装置に関し、特に二回スキャン式の両面スキャナ装置に関するものである。
【背景技術】
【０００２】
スキャナ装置の主な機能は映像を読み取り、書類の内容をスキャン方式で電子文書に変換し、ユーザーが散布、整理又は保存することである。スキャナ装置の技術の進歩に伴い、スキャナ装置も普及の一途を辿っている。
【０００３】
初期のスキャナ装置では書類の片面の映像しかスキャン出来ず、両面をスキャンしようとすれば、手動で書類を裏返してもう一方の面の映像をスキャンしなければならなかった。そこで手動で裏返すという非常な手間を考慮して両面スキャナ装置が登場した。
【０００４】
一般の両面スキャナ装置はプラットホーム式スキャナ装置を含み、また当該プラットホーム式スキャナ装置上には書類を一枚ずつスキャナ領域に送りスキャンした上で、取出口へ送り出すための自動フィード装置が設けられている。プラットホーム式スキャナ装置は書籍類をスキャンするなど自動フィード装置で書類を送ることが出来ない状況で使用するものである。しかし大部分の従来の両面スキャナ装置では、プラットホーム式スキャナ装置内の映像スキャナモジュールでもって両面スキャンを行なっている。
【０００５】
従来の映像スキャナモジュール一組を具備した両面スキャナーは、書類がスキャナ領域を三回通して（スリーパスという）ようやく両面スキャン作業が完了し、書類を元の順に配列できるのである。書類が最初にスキャン領域を通過すると、スキャナモジュールは書類の第一面をスキャンし、二回目で第二面をスキャンし、その後三回目に書類がスキャン領域を通過し（このときスキャナモジュールはスキャンしない）、書類を両面スキャン後、スキャン前の元の順序で配列出来るのである。
【０００６】
図１は、単一スキャナモジュールを備えた両面スキャナ装置の概略図である。図１における両面スキャナ装置１００が両面スキャンを始めると、自動フィード装置１１３は、取込口カセット１０２に置かれた書類１１１（第一面が上向き）を第一チャネル１０４へ送り、第二チャネル１０６を経由してスキャナ領域１０７へ進入させる。スキャナモジュール１０５はスキャナ領域１０７で書類１１１の第一面映像を読み取り、書類１１１が第三チャネル１０８とガイドバー１０９を通過し反転区１１２に入ると、ガイドバー１０９が振れ動くことでチャネルを開き、書類１１１を反転区１１２又は取出カセット１０３に入れるのである。反転区１１２では、書類１１１はガイドバー１０９が開けた第四チャネル１１０を通過し、再度第二チャネル１０６に入り、スキャナ領域１０７へと向かい、スキャナ領域１０７でスキャナモジュール１０５は書類１１１の第二面をスキャンし、スキャン完了後書類１１１は第三チャネル１０８及びガイドバー１０９を通過し、再び反転区１１２に入り、反転区１１２内で書類１１１はガイドバー１０９によって開けられた第四チャネル１１０、第二チャネル１０６、スキャナ領域１０７及び第三チャネル１０８を通過し、且つスキャナモジュール１０５は書類１１１をスキャンすることなく、最後にガイドバー１０９が開いて、取出カセット１０３のチャネルへと進め、書類１１１は取出カセット１０３へと送られる。
【０００７】
この種の両面スキャナ装置は積層された書類の最上部にある当該書類からスキャンを開始し、書類の両面がスキャン完了すると書類を三回スキャナ領域を通し、スキャン完了後の書類の順序とスキャン前のそれとを同じにするのである。しかし書類を三度スキャナ領域を通す方式だと時間がかかり、作業速度が低下する。しかも反転区を取り付けたことで当該両面スキャン装置の取込口カセットを高目の位置に設置しなければならず、従って両面スキャン装置の高さが高くなり、設置に場所を取ることとなるのである。
【０００８】
図１で示した三回スキャン式の両面スキャン装置の欠点を補うために、別途従来型の一回スキャン式（ワンパスという）の両面スキャン装置がある。この種の一回スキャン式の両面スキャン装置はスキャナモジュール二組備えており、書類がスキャナ領域を通る際同時に二組のスキャナモジュールでもって書類の両面をスキャンでき、従ってスキャン所要時間が短縮されるのである。だが、スキャナモジュール二組を具備したことで、コストが一組式の両面スキャナ装置よりも割高になる。このため、スキャナの体積及びコストを共に配慮した両面スキャン装置が必要になってくるのである。
【発明の開示】
【発明が解決しようとする課題】
【０００９】
本発明の目的は二回のスキャンで且つ書類の配列順序維持可能な両面スキャン装置を提供することである。
【課題を解決するための手段】
【００１０】
好ましい実施例として本発明は、スキャナ領域にスキャンする書類の映像を読取るのに用いられ、プラットホーム式スキャナーに位置するスキャナモジュールと、前記スキャンする書類を置くのに用いられ、第一開放孔及び第二開放孔を含む取込口カセットと、前記第一開放孔を通過すると共に前記スキャンする書類と接触するピックアップロールと、前記第二開放孔を通過すると共に前記スキャンする書類と接触するパーティションロールと、前記スキャンする書類を置くための第一取出カセットと、前記スキャンする書類を置くための第二取出カセットと、前記第二取出カセット及び第二紙送りロールセットの間に位置すると共に前記スキャナ領域を通過するフィードチャネルと、前記取込口カセット及び前記フィードチャネルの間に位置する取込チャネルと、前記フイードチャネル及び前記第一取出カセットの間に位置する第一取出チャネルと、前記フィードチャネルに位置し前記第一取出カセットに近接し、スキャナされる書類を送り前記第一取出チャネルを通過させ又は前記フィードチャネルへスキャナされた書類を送り続ける第一取出ロールセットと、前記第二取出ロールセット及び第二取出カセットの間に位置する反転チャネルと、前記第二取出ロールセット及び前記第二取出カセットの間に位置すると共に、前記反転チャネル上端に位置する第二取出チャネルと、前記反転チャネル上端に位置し前記第二取出カセットに近接し、前記反転チャネルからスキャナされる書類を前記第二取出カセットまで送り、前記第二取出カセットから前記フィードチャネルまで送る第二取出ロールセットと、前記第二取出チャネルに位置し前記第二取出カセットに近接し、スキャナされる書類を前記第二取出カセットまで送る第三取出ロールセットを含むことを特徴とする両面スキャナ装置を提供する。
【００１１】
好ましい例として、第二取出ロールセットは回転方向を変更可能なマスタロールと反転スレーブロールを含む。
【００１２】
また、好ましい例として、第三取出ロールセットはさらにマスターロールと取出スレーブロールを含む。
【００１３】
さらに、好ましい例として、両面スキャナ装置はさらにフィードチャネルに設置し前記取込チャネルに近接する第一紙送りロールを含む。
【発明を実施するための最良の形態】
【００１４】
図２は本発明の好ましい実施例の概略図である。図２の両面スキャナ装置２００はプラットホーム式スキャナー２０１、スキャナモジュール２０２、取込口カセット２０４、第一取出カセット２０５、第二取出カセット２０６、ピックアップロール２０７、パーティションロール２０８、第一紙送りロールセット２０９、第二紙送りロールセット２１０、第一取出ロールセット２１１、第二取出ロールセット２１５、第三取出ロールセット２１６、フィードチャネル２１７、取込チャネル２１８、第一取出チャネル２１９、第二取出チャネル２２０、反転チャネル２２１、パーティションの摩擦板２２２、第一取出ガイドバー２２５、反転ガイドバー２２６及び第二ガイドバー２２７を含む。取込口カセット２０４は、第一開放孔２２３と第二開放孔２２４を含む。第二取出ロールセット２１５はマスタロール２１２と反転スレーブロール２１３を含む。第三取出ロールセット２１６はマスタロール２１２と取出スレーブロール２１4を含む。このほかに、第一取出ガイドバー２２５は書類をフィードチャネル２１７又は第一取出チャネル２１９に導き入れるものである。また、反転ガイドバー２２６は書類をフィードチャネル２１７又は反転チャネル２２１に導き入れるものであり、第二取出ガイドバー２２７は、書類を第二取出チャネル２２０又は反転チャネル２２１に導き入れるものである。パーティションの摩擦板２２２はペーパーフィードに必要な摩擦力を提供し、スキャン中以外の他の書類がスキャナ装置に進入するのを防止する役目を果たす。
【００１５】
従来の両面スキャナ装置との相違点は、従来の両面スキャナ装置は積層書類の最上部にある前記書類からスキャンを始めるのに対して、本発明のスキャナ装置では、積層書類２３０の最下部の前記書類よりスキャンを始める。つまり、本発明の両面スキャナ装置を使用すると、書類２３０の配列順序は下から上となり、即ち一枚目の書類は複数の書類２３０の最下部となり、二枚目の書類は一枚目の上になり、このように類推すると、最後の一枚は書類２３０の最上部となるわけである。しかも書類一枚ごとに、先にスキャンされる書類の表面が下向きになるのである。
【００１６】
本発明の両面スキャナ装置２００で片面スキャンを行なう際、スキャンされる書類２３０は前述の方式により取込口カセット２０４上に置かれる。取込口カセット２０４は第一開放孔２２３と第二開放孔２２４を具備し、それぞれピックアップロール２０７とパーティションロール２０８と接触し、さらにピックアップロール２０７とパーティションロール２０８で書類２３０を取込チャネル２１８に送り込んだ上でさらにフィードチャネル２１７へと進入させる。続いて、第一紙送りロールセット２０９は書類２３０をスキャナ領域２０３へ送り、書類２３０がスキャナ領域２０３を通過する際、スキャナモジュール２０２が書類２３０の映像を読み取り、そして第一取出ロールセット２１１並びに第一取出ガイドバー２２５より書類２３０を第一取出チャネル２１９へと送り、さらに第一取出カセット２０５まで達するのである。このとき、スキャンが完了した書類のスキャン表面は下向きになっている。二枚目の書類がスキャン完了すると、一枚目の上に積み重ねられ、且つスキャンされた表面も下向きになっており、このように類推すると、全ての書類がスキャン完了後、書類２３０の各書類の配列順序はスキャン前と同じになるのである。
【００１７】
図２では、本発明の両面スキャナ装置２００が両面スキャンする際、書類２３０を前述の方式で取込口カセット２０４上に置き、同様にピックアップロール２０７、パーティションロール２０８及びパーティションの摩擦板２２２でもって書類２３０を取込チャネル２１８とフィードチャネル２１７へ送り、さらに第一紙送りロールセット２０９が書類２３０をスキャナ領域２０３へと送り、書類２３０がスキャナ領域２０３に進入すると、スキャナモジュール２０２が書類２３０の第一面の映像をスキャンし始めるのである。続けて、第一取出ガイドバー２２５が第一取出チャネル２１９を閉鎖することで、書類２３０は引き続きフィードチャネル２１７を通ることが出来、この際、反転ガイドバー２２７は第二取出チャネル２２０を閉鎖し、第二紙送りロールセット２１０が書類２３０を反転チャネル２２１へと送り、さらに反転ガイドバー２２６はフィードチャネル２１７を閉鎖し、第二取出ロールセット２１５が書類２３０を第二取出カセット２０６へと送るのである。そのうち、第二取出ロールセット２１５はマスタロール２１２と反転スレーブロール２１３を含み、且つマスタロール２１２はこのとき時計と逆回りになるのである。こうして書類２３０の第一面のスキャンが完了することになる。
【００１８】
書類２３０が完全に第二取出カセットに進入すると、反転ガイドバー２２６は反転チャネル２２１を閉鎖し、マスタロール２１２は時計回りへと回転し始め、このとき第二取出カセット２０６にある書類２３０は第二取出ロールセット２１５によってフィードチャネル２１７に送られる。そして第一紙送りロールセット２０９によって書類２３０はスキャナ領域２０３を通過し、スキャナモジュール２０２によって書類２３０の第二面がスキャン出来るようになり、しかも第一取出ガイドバー２２５によりフィードチャネル２１７を通過できる状態を保っており、第一取出ロールセット２１１によって書類２３０はフィードチャネル２１７の中を引き続き先に進む。第二紙送りロールセット２１０が書類２３０を第二取出チャネル２２０を通過させるために、第二ガイドバー２２７は第二取出チャネル２２０を開け、第三取出ロールセット２１６は書類を第二取出カセット２０６へと送るのである。残りの書類２３０についても上記と同様な工程で両面スキャンを完了させ、しかもスキャン完了後の書類２３０の配列順序は元の順序と全く同様であり、今一度の反転動作を必要とせずに、元の配列順序に戻せるのである。
【００１９】
ここで特記すべきことは、本発明は積層書類の最下部の前記書類から紙送りを開始する方式を採用していることであり、こうした下部取込方式で注意しなくてはならないのは、ペーパーと摩擦板及びロール間の摩擦力の設計である。好ましい状況において、u3＞u1＞u2の条件に適合すると書類の紙送りに有効であり、u1はペーパー対パーティション摩擦板の摩擦力で、u2はペーパー同士の摩擦力、そして、u3はペーパー対ロールの摩擦力である。
【００２０】
上述の内容より、本発明の両面スキャナ装置はスキャナ領域を二度通過するだけで（ツーパスという）両面スキャンを完了でき、且つ配列順序は元の配列順序と同様であり、従来の両面スキャナ装置（スリーパス）と比べても、本発明では書類がスキャナ領域を通過する回数は一回少なくなり、明らかに従来の両面スキャナ装置のスキャン時間を短縮することになるのである。
【００２１】
このほかに、本発明の両面スキャナ装置の反転区は第二取出カセットであり、第二取出カセットが反転区及び取出カセットの機能を兼備している。このため従来の両面スキャナ装置の反転区の空間を圧縮可能にし、高さを低くして体積を縮小させ、且つ本発明による両面スキャナ装置のペーパー伝送経路には特別設計を施してあるので、ロール数は必要最小限度に抑えられる。ロール数が少ない利点はロールの信頼度と耐用性が高いことにあり、耐用年数が長めである。例えば、Ａ型ロールの信頼度を０．９５とし、一方、Ｂ型ロールの信頼度を０．９とする。Ａ型ロール１個とＢ型ロール４個を具備したＡ機器と、Ａ型ロールとＢ型ロール共に１個を具備したＢ機器とで言うと、Ａ機器のロールの信頼度は０．９５×０．９×０．９×０．９×０．９＝０．６２３２９５であり、一方、Ｂ機器のロールの信頼度は、０．９５×０．９＝０．８５５となり、両者を比較するとＢ機器のロールの信頼度の方が高く、これにより一台の機械でロール数が多いほど、その信頼度は低下し、機械のロールの寿命もそれだけ短くなるわけである。しかも、ロール数が少ないと、コストも抑えられるという利点もある。
【００２２】
以上述べた内容は本発明の好ましい実施例に過ぎず、これを以って本発明で申請する特許範囲を限定するものではなく、従って本発明で掲示した精神を逸脱しない範囲で完成した等価改変若しくは補正は全て等しく本案の特許申請の範囲内に含まれるものとする。
【図面の簡単な説明】
【００２３】
【図１】従来の両面スキャナー装置の概略図である。
【図２】本発明における好ましい実施例の概略図である。
【符号の説明】
【００２４】
１００、２００  両面スキャナ装置
２０８  パーティションロール
１０１、２０１  プラットホーム式スキャナー
２０９、２１０  紙送りロールセット
１０２、２０４  取込口カセット
２１１、２１５、２１６  取出ロールセット
１０３、２０５、２０６  取出カセット
２１２  マスタロール
１０４、１０６、１０８、１１０  チャネル
２１３、２１４  スレーブロール
１０５、２０２  スキャナモジュール
２１７  フィードチャネル
１０７、２０３  スキャナ領域
２１８  取込チャネル
１０９、２２５、２２６、２２７  ガイドバー
２１９、２２０  取出チャネル
１１１、２３０  スキャンされる書類
２２１  反転チャネル
１１２  反転区
２２２  パーティションの摩擦板
１１３  自動フィード装置
２２３、２２４  開放孔
２０７  ピックアップロール
【図１】
2008048375.tif 000003
【図２】
2008048375.tif 000004